(57)【要約】  【課題】  ハードディスクに収録しているテレビ番組を、その都度、他の記録媒体にダビングするような場合、ユーザの操作によらず自動的にダビングを開始することができる機能を有する複合型の情報記録再生装置を提供する。  【解決手段】  ハードディスク３に収録されたテレビ番組をＤＶＤ６へダビングを行う際、ＤＶＤ６にテレビ番組のサムネイル情報があれば、そのサムネイル情報がサムネイル情報検出手段１４により検出され、この検出されたサムネイル情報に週録フラグがあるか否かがフラグ判定手段１５により判定される。週録フラグがあれば、ハードディスク３に同じチャンネルで同じ時間帯のテレビ番組があるか否かが番組判定手段１６により判定され、同じチャンネルで同じ時間帯のテレビ番組があり、日にち判定手段１７により録画した日にちが違うと判定された場合、ハードディスク３からＤＶＤ６へのダビングが実行される。【選択図】      図１
2005347997.tif 000002
【特許請求の範囲】
【請求項１】
ハードディスクに収録したテレビ番組をＤＶＤまたは磁気テープにダビングすることが
可能な機能を有し、少なくとも２個の記録再生部を備えた複合型の情報記録再生装置にお
いて、ハードディスクに収録したテレビ番組をＤＶＤまたは磁気テープにダビングする際
、ハードディスクに収録されたテレビ番組のサムネイル情報に対応するサムネイル情報を
ＤＶＤまたは磁気テープから検出するサムネイル情報検出手段と、前記検出されたサムネ
イル情報の中に１週間録画を示す週録フラグがあるか否かを判定するフラグ判定手段と、
前記週録フラグが有ると判定された場合にハードディスクに同じチャンネルで同じ時間帯
のテレビ番組があるか否かを判定する番組判定手段と、同じチャンネルで同じ時間帯のテ
レビ番組があると判定された場合に当該テレビ番組は録画した日にちが違っているか否か
を判定する日にち判定手段と、当該テレビ番組は録画した日にちが違っていると判定され
た場合にハードディスクからＤＶＤまたは磁気テープへの当該テレビ番組のダビングを可
能にするダビング可能手段とを有する制御部を備えたことを特徴とする複合型の情報記録
再生装置。
【請求項２】
第１の記録媒体に収録したテレビ番組を第２の記録媒体にダビングすることが可能な機
能を有し、少なくとも２個の記録再生部を備えた複合型の情報記録再生装置において、前
記第１の記録媒体に収録したテレビ番組を前記第２の記録媒体にダビングする際、第１の
記録媒体に収録されたテレビ番組のサムネイル情報に対応するサムネイル情報を第２の記
録媒体から検出して、当該テレビ番組は、同じチャンネルで同じ時間帯であり、且つ録画
した日にちが違っていると判定された場合に、前記第１の記録媒体から前記第２の記録媒
体への当該テレビ番組のダビングを可能にする制御部を備えたことを特徴とする複合型の
情報記録再生装置。
【請求項３】
前記制御部は、第１の記録媒体に収録したテレビ番組を第２の記録媒体にダビングする
際、第１の記録媒体に収録されたテレビ番組のサムネイル情報に対応するサムネイル情報
を第２の記録媒体から検出するサムネイル情報検出手段と、前記検出されたサムネイル情
報の中に所定期間の録画を示すフラグがあるか否かを判定するフラグ判定手段と、前記フ
ラグが有ると判定された場合に前記第１の記録媒体に同じチャンネルで同じ時間帯のテレ
ビ番組があるか否かを判定する番組判定手段と、同じチャンネルで同じ時間帯のテレビ番
組があると判定された場合に当該テレビ番組は録画した日にちが違っているか否かを判定
する日にち判定手段と、当該テレビ番組は録画した日にちが違っていると判定された場合
に前記第１の記録媒体から前記第２の記録媒体への当該テレビ番組のダビングを可能にす
るダビング可能手段と有することを特徴とする請求項２に記載の複合型の情報記録再生装
置。
【請求項４】
前記所定期間の録画は１週間録画であることを特徴とする請求項３に記載の情報記録再
生装置。
【請求項５】
前記第１の記録媒体はハードディスクであり、前記第２の記録媒体はＤＶＤまたは磁気
テープであることを特徴とする請求項２または請求項３に記載の複合型の情報記録再生装
置。
【発明の詳細な説明】
【技術分野】
【０００１】
本発明は、例えばハードディスクに収録したテレビ番組をＤＶＤ（デジタル・バーサタ
イル・ディスク）または磁気テープにダビングすることが可能な機能を有し、少なくとも
２個の記録再生部を備えた複合型の情報記録再生装置に関する。
【背景技術】
【０００２】
テレビ番組などの映像および音声のコンテンツの記録再生を行う情報記録再生装置とし
ては、磁気テープを用いて情報の記録再生を行うＶＴＲ（ビデオ・テープ・レコーダ）や
、ＤＶＤを用いて情報の記録再生を行うＤＶＤレコーダなどが知られている。また、最近
、受信したテレビ番組をデジタルデータ形式でハードディスクに収録するハードディスク
レコーダと、ＤＶＤを用いて情報の記録再生を行うＤＶＤレコーダとを備え、そのハード
ディスクに収録されたテレビ番組のうち選択されたものを磁気テープやＤＶＤにダビング
したりすることが可能な機能を有する複合型の情報記録再生装置が普及しつつある。
【特許文献１】特開２００２−１００１６８号公報
【特許文献２】特開２００２−１７６６１２号公報
【特許文献３】特開２００２−１７６６１８号公報
【発明の開示】
【発明が解決しようとする課題】
【０００３】
ところで、従来の複合型の情報記録再生装置では、ハードディスクに収録された複数の
映像コンテンツの中から再生する映像コンテンツおよび再生順をユーザが指定可能なよう
に各映像コンテンツのサムネイルをテレビ画面にサムネイル表示可能に出力するようにし
、これにより、多数のテレビ番組をハードディスクに収録した場合に、どの番組がどの順
番で収録されているかを解り易くして、簡単な操作で所望の番組を所望の順番で再生した
り、磁気テープにダビングできるようにしているものがある（例えば特許文献１の従来技
術）。
【０００４】
しかしながら、このような従来の複合型の情報記録再生装置では、ハードディスクに収
録されたテレビ番組を磁気テープまたはＤＶＤにダビングする場合、１回１回テレビ画面
に番組の選択を行うための選択画面を表示させ、ダビングしたい番組を選択する操作を行
わなければならないので、ダビングの操作が煩わしく、操作性が劣るという課題が生じる
。
【０００５】
なお、特許文献２の従来技術は、記録ディスクから磁気テープにダビングした内容を、
磁気テープを再生することなく検出でき、磁気テープを再生する場合でも、その先頭部分
の再生だけで録画内容を知るようにしたものであり、ダビングの操作性の向上を図るもの
ではない。
【０００６】
また、特許文献３の従来技術は、磁気テープに記録された複数の映像コンテンツを連続
再生（または連続ダビング）する際に、ユーザが、その再生順（またはダビング順）およ
び再生（ダビング）する映像コンテンツを指定可能なようにサムネイルをテレビ画面に表
示し、指定された映像コンテンツを指定された再生順（ダイング順）で連続再生するよう
にしているが、この従来技術も、ダビングしたい番組を選択する操作を行わなければなら
ないので、ダビングの操作が煩わしく、操作性が劣るという課題が生じる。
【０００７】
本発明は、上記のような課題を解決するためになされたもので、例えばハードディスク
に収録しているテレビ番組を、その都度、他の記録媒体にダビングするような場合、ユー
ザの操作によらず自動的にダビングを開始することができる機能を有する複合型の情報記
録再生装置を提供することを目的とする。
【課題を解決するための手段】
【０００８】
上記目的を達成するために、請求項１の発明は、ハードディスクに収録したテレビ番組
をＤＶＤまたは磁気テープにダビングすることが可能な機能を有し、少なくとも２個の記
録再生部を備えた複合型の情報記録再生装置において、ハードディスクに収録したテレビ
番組をＤＶＤまたは磁気テープにダビングする際、ハードディスクに収録されたテレビ番
組のサムネイル情報に対応するサムネイル情報をＤＶＤまたは磁気テープから検出するサ
ムネイル情報検出手段と、前記検出されたサムネイル情報の中に１週間録画を示す週録フ
ラグがあるか否かを判定するフラグ判定手段と、前記週録フラグが有ると判定された場合
にハードディスクに同じチャンネルで同じ時間帯のテレビ番組があるか否かを判定する番
組判定手段と、同じチャンネルで同じ時間帯のテレビ番組があると判定された場合に当該
テレビ番組は録画した日にちが違っているか否かを判定する日にち判定手段と、当該テレ
ビ番組は録画した日にちが違っていると判定された場合にハードディスクからＤＶＤまた
は磁気テープへの当該テレビ番組のダビングを可能にするダビング可能手段とを有する制
御部を備えたことを特徴とする複合型の情報記録再生装置を提供する。
【０００９】
この構成において、ハードディスクにテレビ番組を録画した状態からＤＶＤへのダビン
グを行う際、ＤＶＤにサムネイル情報があれば、そのサムネイル情報がサムネイル情報検
出手段により検出され、この検出されたサムネイル情報に週録フラグがあるか否かがフラ
グ判定手段により判定され、週録フラグがあれば、ハードディスクに同じチャンネルで同
じ時間帯のテレビ番組があるか否かが番組判定手段により判定される。
【００１０】
ハードディスクに同じチャンネルで同じ時間帯のテレビ番組があれば、次に、両テレビ
番組は録画した日にちが違っているか否かが日にち判定手段により判定され、録画した日
にちが同じであれば、ダビングする必要がないので待機状態となるが、録画した日にちが
違っていれば、ダビングがダビング可能手段により可能状態になり、ハードディスクから
ＤＶＤへのダビングが実行される。
【００１１】
この構成によれば、ハードディスクに収録しているテレビ番組を、その都度、ＤＶＤま
たは磁気テープにダビングするような場合、その収録しているテレビ番組のサムネイル情
報を利用し、そのテレビ番組のサムネイル情報と、ＤＶＤまたは磁気テープに一度記録し
たテレビ番組のサムネイル情報とを比較して一致する時に、自動的にダビングを開始させ
ることができ、これにより、多量あるテレビ番組から一つのテレビ番組を選択してダビン
グを行うことが可能になり、装置の操作性が向上する。
【００１２】
請求項２の発明は、第１の記録媒体に収録したテレビ番組を第２の記録媒体にダビング
することが可能な機能を有し、少なくとも２個の記録再生部を備えた複合型の情報記録再
生装置において、前記第１の記録媒体に収録したテレビ番組を前記第２の記録媒体にダビ
ングする際、第１の記録媒体に収録されたテレビ番組のサムネイル情報に対応するサムネ
イル情報を第２の記録媒体から検出して、当該テレビ番組は、同じチャンネルで同じ時間
帯であり、且つ録画した日にちが違っていると判定された場合に、前記第１の記録媒体か
ら前記第２の記録媒体への当該テレビ番組のダビングを可能にする制御部を備えたことを
特徴とする複合型の情報記録再生装置を提供する。
【００１３】
この構成において、第１の記録媒体に収録したテレビ番組を第２の記録媒体にダビング
する際、第１の記録媒体に収録されたテレビ番組のサムネイル情報に対応するサムネイル
情報が第２の記録媒体にあれば、そのサムネイル情報が検出され、そのサムネイル情報に
基づいて、当該テレビ番組は、同じチャンネルで同じ時間帯であり、且つ録画した日にち
が違っていると判定された場合に、第１の記録媒体から第２の記録媒体への当該テレビ番
組のダビングが可能になる。
【００１４】
この構成によれば、第１の記録媒体に収録しているテレビ番組を、その都度、第２の記
録媒体にダビングするような場合、その収録しているテレビ番組のサムネイル情報を利用
し、そのテレビ番組のサムネイル情報と、第２の記録媒体に一度記録したテレビ番組のサ
ムネイル情報とを比較して一致する時に、自動的にダビングを開始させることができ、こ
れにより、多量あるテレビ番組から一つのテレビ番組を選択してダビングを行うことが可
能になり、装置の操作性が向上する。
【００１５】
請求項３の発明では、請求項２の発明において、前記制御部は、第１の記録媒体に収録
したテレビ番組を第２の記録媒体にダビングする際、第１の記録媒体に収録されたテレビ
番組のサムネイル情報に対応するサムネイル情報を第２の記録媒体から検出するサムネイ
ル情報検出手段と、前記検出されたサムネイル情報の中に所定期間の録画を示すフラグが
あるか否かを判定するフラグ判定手段と、前記フラグが有ると判定された場合に前記第１
の記録媒体に同じチャンネルで同じ時間帯のテレビ番組があるか否かを判定する番組判定
手段と、同じチャンネルで同じ時間帯のテレビ番組があると判定された場合に当該テレビ
番組は録画した日にちが違っているか否かを判定する日にち判定手段と、当該テレビ番組
は録画した日にちが違っていると判定された場合に前記第１の記録媒体から前記第２の記
録媒体への当該テレビ番組のダビングを可能にするダビング可能手段と有するので、当該
テレビ番組は、同じチャンネルで同じ時間帯であり、且つ録画した日にちが違っていると
判定された場合に、前記第１の記録媒体から前記第２の記録媒体への当該テレビ番組のダ
ビングを可能にすることができる。
【００１６】
請求項４の発明では、請求項３の発明において前記所定期間の録画は１週間録画である
ので、ユーザが選んだ１週間分のテレビ番組に対してダビングが可能になる。
【００１７】
請求項５の発明では、請求項３の発明において、前記第１の記録媒体はハードディスク
であり、前記第２の記録媒体はＤＶＤまたは磁気テープであるので、ハードディスクで収
録したテレビ番組はＤＶＤまたは磁気テープにダビングして保存しておくことができる。
【発明の効果】
【００１８】
以上のように本発明によれば、ハードディスクに収録したテレビ番組をＤＶＤまたは磁
気テープにダビングすることが可能な機能を有し、少なくとも２個の記録再生部を備えた
複合型の情報記録再生装置において、ハードディスクに収録したテレビ番組をＤＶＤまた
は磁気テープにダビングする際、ハードディスクに収録されたテレビ番組のサムネイル情
報に対応するサムネイル情報をＤＶＤまたは磁気テープから検出するサムネイル情報検出
手段と、前記検出されたサムネイル情報の中に１週間録画を示す週録フラグがあるか否か
を判定するフラグ判定手段と、前記週録フラグが有ると判定された場合にハードディスク
に同じチャンネルで同じ時間帯のテレビ番組があるか否かを判定する番組判定手段と、同
じチャンネルで同じ時間帯のテレビ番組があると判定された場合に当該テレビ番組は録画
した日にちが違っているか否かを判定する日にち判定手段と、当該テレビ番組は録画した
日にちが違っていると判定された場合にハードディスクからＤＶＤまたは磁気テープへの
当該テレビ番組のダビングを可能にするダビング可能手段とを有する制御部を備えたので
、ハードディスクに収録しているテレビ番組を、その都度、ＤＶＤまたは磁気テープにダ
ビングするような場合、その収録しているテレビ番組のサムネイル情報を利用し、そのテ
レビ番組のサムネイル情報と、ＤＶＤまたは磁気テープに一度記録したテレビ番組のサム
ネイル情報とを比較して一致する時に、自動的にダビングを開始させることができ、これ
により、多量あるテレビ番組から一つのテレビ番組を選択してダビングを行うことが可能
になり、装置の操作性が向上する。
【００１９】
また、本発明によれば、第１の記録媒体に収録したテレビ番組を第２の記録媒体にダビ
ングすることが可能な機能を有し、少なくとも２個の記録再生部を備えた複合型の情報記
録再生装置において、第１の記録媒体に収録したテレビ番組を第２の記録媒体にダビング
する際、第１の記録媒体に収録されたテレビ番組のサムネイル情報に対応するサムネイル
情報を第２の記録媒体から検出して、当該テレビ番組は、同じチャンネルで同じ時間帯で
あり、且つ録画した日にちが違っていると判定された場合に、第１の記録媒体から第２の
記録媒体への当該テレビ番組のダビングを可能にする制御部を備えたので、第１の記録媒
体に収録しているテレビ番組を、その都度、第２の記録媒体にダビングするような場合、
その収録しているテレビ番組のサムネイル情報を利用し、そのテレビ番組のサムネイル情
報と、第２の記録媒体に一度記録したテレビ番組のサムネイル情報とを比較して一致する
時に、自動的にダビングを開始させることができ、これにより、多量あるテレビ番組から
一つのテレビ番組を選択してダビングを行うことが可能になり、装置の操作性が向上する
。
【発明を実施するための最良の形態】
【００２０】
以下、添付図面を参照しつつ、本発明の実施の形態について説明する。図１は本発明の
一実施形態に係る複合型の情報記録再生装置の構成を示すブロック図である。
【００２１】
この複合型の情報記録再生装置は、大きく分けて、装置全体を制御する制御部１、ハー
ドディスク３を駆動するハードディスクドライブ２、テレビジョン放送信号を受信する受
信部４、ＤＶＤ６に対して情報の記録または再生を行うＤＶＤレコーダ５を備えている。
【００２２】
制御部１は、ハードディスク用インターフェース規格であるＩＤＥ（Integrated Devic
e Electronics）インターフェース１０と、音声や画像のアナログ信号をデジタル信号に
変換すると共に、デジタル符号化された信号を元のアナログ信号に戻すコーデック（CODE
C）部１１と、画像処理を行うＣＰＵ１２と、ＤＶＤレコーダ５のマイコン（マイクロコ
ンピュータ）７との間でデータのやりとりやシステム各部の制御を行うシステムマイコン
１３と、所定の制御プログラムなどが格納されたＲＯＭ８と、データを一時的に保持する
ＲＡＭ９とを備えている。
【００２３】
また、システムマイコン１３は、ハードディスク３に収録したテレビ番組をＤＶＤ６に
ダビングする際、ハードディスク３に収録されたテレビ番組のサムネイル情報に対応する
サムネイル情報をＤＶＤ６から検出するサムネイル情報検出手段１４と、前記検出された
サムネイル情報の中に１週間録画を示す週録フラグがあるか否かを判定するフラグ判定手
段１５と、前記週録フラグが有ると判定された場合にハードディスク２に同じチャンネル
で同じ時間帯のテレビ番組があるか否かを判定する番組判定手段１６と、同じチャンネル
で同じ時間帯のテレビ番組があると判定された場合に当該テレビ番組は録画した日にちが
違っているか否かを判定する日にち判定手段１７と、当該テレビ番組は録画した日にちが
違っていると判定された場合にハードディスク３からＤＶＤ６への当該テレビ番組のダビ
ングを可能にするダビング可能手段１８とを有する。
【００２４】
このような構成を有する複合型の情報記録再生装置において、受信部４により受信され
たテレビジョン放送信号がアナログ放送の場合には、そのテレビジョン放送信号のテレビ
番組のデータが、コーデック部１１によりデジタルデータに変換された後、ＩＤＥインタ
ーフェース１０を介してハードディスクドライブ２に送出され、ハードディスクドライブ
２によりハードディスク３に収録される。なお、テレビジョン放送信号がデジタル放送の
場合には、受信部４からそのままＩＤＥインターフェース１０を介してハードディスクド
ライブ２に送出されてハードディスク３に収録される。
【００２５】
このとき、地上波テレビジョン放送信号の隙間である垂直帰線期間を使用したり、ある
いは音声副搬送波を使用したデータ放送のひとつである電子プログラムガイド（ＥＰＧ；
Electronic Program Guide）のテキストデータが、ＣＰＵ１２により抽出されてＲＡＭ９
に一旦格納される。
【００２６】
そして、ハードディスク３に収録された複数のテレビ番組のうち、図示しないリモコン
などの操作手段の操作によりダビングすべきテレビ番組がユーザにより選択され、これに
より、システムマイコン１３は、ＤＶＤレコーダ５を駆動し、選択されたテレビ番組をＤ
ＶＤ６に記録させる。
【００２７】
また、ハードディスク３に収録された１週間のテレビ番組をＤＶＤ６にダビングする場
合には、次のような処理が行われる。
【００２８】
この情報記録再生装置に対して、リモコンを操作して、ハードディスク３に週録（１週
間の録画）ができるように予約し、録画する。なお、通常予約は録画終了時に録画予約の
プログラムを消していくが、週録予約は録画予約のプログラムに週録フラグを立てて録画
終了時に、このプログラムを一番最後にまわし、同じテレビ番組を毎週録画できるように
している。
【００２９】
ハードディスク３に収録されたテレビ番組をＤＶＤ６にダビングする時、そのテレビ番
組のサムネイル情報に週録フラグを付けたまま、このサムネイル情報をＤＶＤ６側のサム
ネイル情報として移行する（このサムネイル情報をＤＶＤ６に記録する）。そして、２回
目以降のダビングをする時、ＤＶＤ６を装置に挿入した際に、ＤＶＤ６に記録されている
サムネイル情報を呼び出す。その時、サムネイル情報に週録フラグがある場合、ハードデ
ィスク３の内容を確認し、ＤＶＤ６に記録されているテレビ番組が、ハードディスク３に
収録されているテレビ番組と同じチャンネルで同じ時間帯のものであった時、その録画の
日にちを検出し、両テレビ番組の録画の日にちが違う場合にダビングを開始するようにす
る。
【００３０】
図２は本実施形態において週録のダビング処理を説明するためのフローチャートである
。このフローチャートを参照して週録のダビング処理を説明する。
【００３１】
ハードディスク３にテレビ番組を録画した状態からＤＶＤ６へのダビングを行う際、こ
の複合型の情報記録再生装置のＤＶＤレコーダ５にＤＶＤ６を挿入する（ステップＳ１）
。そして、制御部１におけるシステムマイコン１３のサムネイル情報検出手段１４は、Ｄ
ＶＤレコーダ５のマイコン７にＤＶＤ６を駆動させ、ＤＶＤ６からサムネイル情報を読み
出す指示を与え、これにより、ＤＶＤ６から読み出されたサムネイル情報を検出する（ス
テップＳ２）。
【００３２】
この後、システムマイコン１３のフラグ判定手段１５は、前記検出されたサムネイル情
報に週録フラグがあるか否かを判定し（ステップＳ３）、週録フラグがなければ待機状態
になるが（ステップＳ９）、週録フラグがあれば、次に、システムマイコン１３の番組判
定手段１６は、ハードディスク３に同じチャンネルで同じ時間帯のテレビ番組があるか否
かを判定する（ステップＳ４）。
【００３３】
ハードディスク３に同じチャンネルで同じ時間帯のテレビ番組がなければ、待機状態に
なるが（ステップＳ９）、同じチャンネルで同じ時間帯のテレビ番組があれば、システム
マイコン１３の日にち判定手段１５は、ＤＶＤ６に記録されているテレビ番組がハードデ
ィスク３に収録されているテレビ番組と同じチャンネルで同じ時間帯のものであれば、両
テレビ番組は録画した日に違っているか否かを判定し（ステップＳ５）、録画した日にち
が同じであれば、ダビングする必要がないので待機状態となるが（ステップＳ９）、録画
した日にちが違っていれば、システムマイコン１３のダビング可能手段１８はダビングの
指示があればダビング動作を可能にする。
【００３４】
したがって、リモコンなどにより自動ダビングの操作設定がされていれば、ダビングす
ると判定されて（ステップＳ６）ダビングが開始され（ステップＳ７）、ダビングが終了
すると（ステップＳ８）、本処理は終了する。自動ダビングの操作設定がされていなく、
ダビングをしないと判定された場合は（ステップＳ６）、待機状態となる（ステップＳ９
）。
【００３５】
なお、ハードディスク３に収録されたテレビ番組を初めてＤＶＤ６にダビングする場合
は、ＤＶＤ６にはテレビ番組が記録されていないので、ステップＳ２、ステップＳ３、ス
テップＳ４，ステップＳ５の処理を行う必要がなく、単なるダビング操作により、ハード
ディスク３からＤＶＤ６へのテレビ番組のダビングが可能になる。
【００３６】
一方、図２に示す処理を実行することにより、週録の予約録画してハードディスク３に
収録されたテレビ番組、例えば日曜日から土曜日までのテレビ番組は、ＤＶＤ６に自動的
にダビングされる。この一週間のテレビ番組は、同じチャンネルで同じ時間帯であっても
放送日が異なる場合は、ステップＳ２、ステップＳ３、ステップＳ４、ステップＳ５、ス
テップＳ６、ステップＳ７、ステップＳ８と処理が移り、この一週間分のダビングは完了
する。
【００３７】
この一週間分のテレビ番組が記録されたＤＶＤ６を、再び、この情報記録再生装置のＤ
ＶＤレコーダ５に挿入すると（ステップＳ１）、週録フラグがあって、ハードディスク３
に同じチャンネルで同じ時間帯のテレビ番組があり、且つ録画した日にちが同じである場
合は、２重にダビングする必要がないので、ステップＳ２、ステップＳ３、ステップＳ４
、ステップＳ５、ステップＳ９と処理が移り、待機状態となる（ステップＳ９）。
【００３８】
以上説明したように本実施形態によれば、ハードディスクに収録しているテレビ番組を
、その都度、ＤＶＤにダビングするような場合、その収録しているテレビ番組のサムネイ
ル情報を利用し、そのテレビ番組のサムネイル情報と、ＤＶＤに一度記録したテレビ番組
のサムネイル情報とを比較して一致する時に、自動的にダビングを開始させることができ
、これにより、多量あるテレビ番組から一つのテレビ番組を選択してダビングを行うこと
が可能になり、装置の操作性が向上する。
【００３９】
なお、本実施形態では、第１の記録媒体としてのハードディスクに収録したテレビ番組
を、第２の記録媒体としてのＤＶＤにダビングしたが、磁気テープにダビングしても良い
。この場合、ＤＶＤレコーダとしては磁気テープに対して記録／再生を行うＶＴＲを設け
た構成にすれば良い。また、第２の記録媒体としてＤＶＤと磁気テープの両方を用いても
良い。また、第１の記録媒体としてハードディスクを用いたが、これに限らず、ＤＶＤや
磁気テープを用いても良い。この場合、ハードディスクドライブに代わり、ＤＶＤレコー
ダやＶＴＲを用いた構成にすれば良い。
【図面の簡単な説明】
【００４０】
【図１】本発明の一実施形態に係る複合型の情報記録再生装置の構成を示すブロック図である。
【図２】前記実施形態において週録のダビング処理を説明するためのフローチャートである。
【符号の説明】
【００４１】
１    制御部
２    ハードディスクドライブ（記録再生部）
３    ハードディスク（第１の記録媒体）
５    ＤＶＤレコーダ（記録再生部）
６    ＤＶＤ（第２の記録媒体）
１４    サムネイル情報検出手段
１５    フラグ判定手段
１６    番組判定手段
１７    日にち判定手段
１８    ダビング可能手段
【図１】
2005347997.tif 000003
【図２】
2005347997.tif 000004